(57)【要約】【課題】クリップを使用する際により快適に使用でき、金属アレルギーの人でも安全に使用することができるペーパー保持用クリップを提供する。【解決手段】ペーパー保持用クリップは、操作するための操作部１０５を備え、操作部の外表面はプラスチックまたはゴム素材で形成されている。【選択図】図１
0003140213.tif 000002
【実用新案登録請求の範囲】
【請求項１】
ペーパー保持用クリップを操作する操作部を備え、操作部の外表面はプラスチックまたはゴム素材であることを特徴とするペーパー保持用クリップ。
【請求項２】
前記操作部がプラスチックまたはゴム素材で構成された請求項１記載のペーパー保持用クリップ。
【請求項３】
前記操作部にプラスチックまたはゴム素材で構成された被覆部が設けられている請求項１記載のペーパー保持用クリップ。
【請求項４】
プラスチックまたはゴム素材が色付きである請求項１記載のペーパー保持用クリップ。
【請求項５】
前記操作部の外表面に種々の模様が設けられている請求項１記載のペーパー保持用クリップ。
【請求項６】
さらに２本の平行な伸張部と、
前記２本の平行な伸張部を緊密に保持する接続部とを備え、
前記２本の平行な伸張部の両端に前記操作部が形成された請求項１記載のペーパー保持用クリップ。
【請求項７】
前記接続部の両側にある前記平行な伸張部は、外側に曲げられ開口部が形成されている請求項６記載のペーパー保持用クリップ。
【請求項８】
さらにベースプレートと、
前記ベースプレート上に回転自在に設けられた押さえ部と、
一端が前記ベースプレート上に留められ他端が前記押さえ部に留められたバネとを備え、
前記押さえ部の一部が前記操作部を構成している請求項１記載のペーパー保持用クリップ。
【請求項９】
前記押さえ部は三角形状で、前記押さえ部の両側はその両自由端に近接する接続部によって保持され、前記バネの他端が前記接続部に留められ、前記三角形状の押さえ部の前記接続部に対抗する部分は前記操作部を構成している請求項８記載のペーパー保持用クリップ。
【請求項１０】
前記押さえ部は金属線材を曲げて構成され、プラスチックまたはゴム素材からなる被覆部が金属線材に重ねられているかまたは金属線材の回りを覆っている請求項９記載のペーパー保持用クリップ。
【請求項１１】
前記操作部の中央部が上方に曲げられ突出部を形成している請求項１０記載のペーパー保持用クリップ。
【請求項１２】
さらにベースプレートと、
バネによって前記ベースプレート上に回転自在に設けられた可動部とを備え、
前記可動部の前端部は押さえ部を構成し、後端部は前記操作部を構成している請求項１記載のペーパー保持用クリップ。
【請求項１３】
前記押さえ部は下方に曲げられている請求項１２記載のペーパー保持用クリップ。
【請求項１４】
前記バネは前記ベースプレートと前記可動部との間に配置され、前記バネの一方の自由端は前記ベースプレートの上面に接し、他方の自由端は前記可動部の下面に接している請求項１２記載のペーパー保持用クリップ。
【請求項１５】
前記操作部にはプラスチックまたはゴム素材からなる被覆部が設けられている請求項１２記載のペーパー保持用クリップ。
【請求項１６】
前記操作部が緊密に挿入されるスロットが前記被覆部に形成されている請求項１５記載のペーパー保持用クリップ。
【請求項１７】
前記操作部に１または２以上の突出リブが形成されている請求項１６記載のペーパー保持用クリップ。
【請求項１８】
前記操作部及び前記被覆部の対応する位置に孔が形成されている請求項１６記載のペーパー保持用クリップ。
【請求項１９】
少なくとも１つの直立突出壁部が前記押さえ部に面する前記ベースプレートの縁に設けられている請求項１６記載のペーパー保持用クリップ。
【請求項２０】
さらにベースアセンブリとボディアセンブリとを備え、
前記ベースアセンブリはベースプレートと、前記ベースプレートの２つのガイドエッジの間に設けられた操作部材と、一端はベースプレートに固定され他端は前記操作部材に固定されるバネとからなり、前記バネは前記操作部材にある開口部のエッジ端を前記ベースプレートの開口部の中央部まで移動させ、
ボディアセンブリはフックリングがそれぞれ付いた２枚の細長状の支持プレートを備え、前記２枚の支持プレートはヒンジ手段によって共に回転自在に連結し、前記２枚の支持プレートのうちの1枚の支持プレートの底部に２本の取付け柱が設けられ、前記２本の取付け柱の間の距離は、前記ベースプレートにある開口部間の距離に対応し、
前記ベースプレートから出ている操作部材の端部は前記操作部を構成している請求項１記載のペーパー保持用クリップ。
【請求項２１】
ヒンジ手段がベースプレートの両端に配置され、各ヒンジ手段は結合部材によって回転自在に連結された２つのアームを有し、前記２つのアームの他端はそれぞれ回転自在に２枚の支持プレートに連結している請求項２０記載のペーパー保持用クリップ。
【請求項２２】
凹みが各取付け柱に形成され操作部材にある開口部のエッジ端に係合する請求項２０記載のペーパー保持用クリップ。
【請求項２３】
さらに中央ヒンジによってともに回転自在に連結しフックリングを備えた２枚の支持プレートと、
１枚の支持プレートから伸び、少なくとも１つのロック用歯部が一側部に形成されたロック用舌部と、
バネによって他方の支持プレート上に移動自在に設けられた操作部材と、前記操作部材上の前記ロック用舌部に対応した位置に形成された突出したロック部とを備え、
前記操作部材から外方に伸びる端部は前記操作部を構成している請求項１記載のペーパー保持用クリップ。
【請求項２４】
前記支持プレートがＬ字形である請求項２３記載のペーパー保持用クリップ。
【請求項２５】
２つの細長状の開口部が前記操作部材に形成され、前記他方の支持プレートから上方に伸びた２つのガイド突起がそれぞれ前記細長状の開口部に挿入され、前記バネの一端は細長状の開口部の一端に接続し前記バネの他端は前記ガイド突起に接続し、前記バネは前記細長状の開口部を一方向に動かす請求項２３記載のペーパー保持用クリップ。
【請求項２６】
前記ロック用舌部には複数のロック用歯部が設けられている請求項２３記載のペーパー保持用クリップ。
【請求項２７】
さらに中空の柱を有するフラットな支持プレートと、
中央ヒンジによって支持プレートと回転自在に連結しているＬ字形の支持プレートと、
Ｌ字形の切り抜き部を有する操作部材と、
前記中空の柱に挿入される複数の差込み柱を有するロックプレートとを備え、
前記Ｌ字形の支持プレートの前記中央ヒンジに連結していない分岐部に、２つの切り抜き部が形成され、
前記操作部材は前記Ｌ字形の支持プレートの分岐部上に移動自在に設けられ、
前記ロックプレートの前記差込み柱とは反対側の一側部に、前記分岐部の２つの切り抜き部に対応して２つの突起が形成され、
前記操作部材から外方に伸びる端部は前記操作部を構成している請求項１記載のペーパー保持用クリップ。
【請求項２８】
さらにヒンジ手段によって回転自在に連結しフックリングを有する２枚の支持プレートと、
前記ヒンジ手段から伸張し、少なくとも１つの開口部が形成されたロック用舌部と、
前記ヒンジ手段から伸張し、前記ロック用舌部の開口部に対応して突出部が形成され、前記突出部が前記ロック用舌部の開口部に係合する弾性部材からなる操作部材とを備え、
前記操作部材から外方に伸びる端部は前記操作部を構成している請求項１記載のペーパー保持用クリップ。
【請求項２９】
ヒンジ手段が前記支持プレートの両端部に配置され、各ヒンジ手段は一端でピンシャフトによって旋回自在に連結している２つのＬ字形アームを有し、前記２つのＬ字形アームの他端は前記２枚の支持プレートに連結している請求項２８記載のペーパー保持用クリップ。
【請求項３０】
前記ロック用舌部には一方のＬ字形アームが設けられ、前記弾性部材からなる操作部材には他方のＬ字形アームが設けられている請求項２９記載のペーパー保持用クリップ。
【請求項３１】
複数の開口部が前記ロック用舌部に形成されている請求項２８記載のペーパー保持用クリップ。
【考案の詳細な説明】
【技術分野】
【０００１】
本考案は、ペーパーを保持するためのクリップに関する。
【背景技術】
【０００２】
ペーパーを保持するための多様なクリップが知られている。ペーパー保持用クリップの典型的なものは金属製のものである。クリップ使用者が手で金属製のクリップの操作部をつかむ時に不快感を生じることがある。さらに金属材料に対してアレルギー反応を示す使用者もいる。
そこで従来のペーパー保持用クリップを改良する必要性がある。
【考案の開示】
【考案が解決しようとする課題】
【０００３】
本考案は、従来のペーパー保持用クリップにおける上述の問題点を考慮して提案されたものである。
したがって、本考案はクリップを使用する際により快適に使用でき、また金属アレルギーの人でも安全に使用することができるペーパー保持用クリップを提供することを目的とする。
【課題を解決するための手段】
【０００４】
本考案にかかるペーパー保持用クリップは、ペーパー保持用クリップを操作する操作部を備え、操作部の外表面はプラスチックまたはゴム素材からなる。
【考案の効果】
【０００５】
本考案によるペーパー保持用クリップの操作部の外表面がプラスチックまたはゴム素材であるため、本考案のペーパー保持用クリップは、使用者がより快適に使用することができ金属アレルギーの人でも安全に使用することができる。
【考案を実施するための最良の形態】
【０００６】
図１から図５は、本考案の第１実施例によるペーパー保持用クリップ１００を示す。本考案によるペーパー保持用クリップ１００は、曲げ弾性力のある金属線材で形成された概略平行な２本の伸張部１０１ａ，１０１ｂからなる。平行な伸張部１０１ａ，１０１ｂはその中央部で接続部１０３によって緊密に保持され、ペーパー保持用クリップ１００の操作部１０５が、平行な伸張部１０１ａ，１０１ｂの両端部にそれぞれ形成されている。
図３に示すように、両端にある操作部１０５は容易につかめるように上方に曲げられていることが好ましい。さらに、使用しやすくするために接続部１０３の両側部分の平行な伸張部１０１ａ，１０１ｂが外側に曲げられ２つの対応する開口部１０７を形成している。
操作部１０５にはそれぞれ被覆部１０９が設けられている。被覆部１０９はプラスチック、ゴム素材またはその他の適切な素材でできている。被覆部１０９は、弾性金属線材が曲げられる前に金属線材に重ねられてもよいし、弾性金属線材を曲げた後に金属線材の周りを覆ってもよい。
【０００７】
図６に示すように、操作部１０５をつかんで、例えばファイルカバー上に設置された金属リング１１１をペーパー保持用クリップ１００の開口部１０７に通し、ペーパー保持用クリップ１００を金属リング１１１に沿って動かし金属リング１１１が近接している概略平行な伸張部１０１ａ，１０１ｂの間で緊密に締め付けられることによって、ペーパー１１３をファイル上に押し付ける。
この逆の操作によってペーパー保持用クリップ１００をはずす。
【０００８】
図７から図１１は、本考案の第２実施例によるペーパー保持用クリップ２００を示す。本考案によるペーパー保持用クリップ２００はベースプレート２０１を備えている。切り込みを入れ上方に曲げられた２対の対抗する突出壁部２０３が、ベースプレート２０１上に形成されている。
金属線材からなる押さえ部２０５は、その両自由端が突出壁部２０３に回転自在に設置されている。金属線材を曲げることによって形成される押さえ部２０５は、一般的に三角形状であるが、四角形や円形等の他の適切な形状であってもよい。
押さえ部２０５の２つの自由端は、その自由端に隣接する接続部２０７によってまとめて保持されている。バネ２０９の一端はベースプレート２０１上に留められ、もう一方の端部は接続部２０７に留められている。
押さえ部２０５上の操作部２１１には使用者がつかめるように被覆部２１３を備えている。被覆部２１３は、プラスチック、ゴム素材またはその他の適切な素材でできている。
被覆部２１３は、金属線材を曲げて押さえ部２０５として形成する前に金属線材に重ねてもよいし、金属線材を曲げて押さえ部２０５とした後に金属線材の周りを覆ってもよい。
使用者が操作部２１１をつかみやすくするために、操作部２１１の中央部を上方に曲げて突出部２１５を形成してもよい。
【０００９】
図１２に示すように、本考案の第２実施例によるペーパー保持用クリップ２００は剛プレート２１７上に固定されている。操作部２１１をつかんで、バネ２０９の力に対抗して押さえ部２０５を剛プレート２１７の方向に回転させることによって、押さえ部２０５でペーパー２１９を剛プレート２１７上に緊密に押さえペーパーを保持する。
操作部２１１をつかんで押さえ部２０５を逆方向に回転させることによって、ペーパー押さえが解除され、ペーパー２１９を取り除くことができる。
【００１０】
図１３から図１７は、本考案の第３実施例によるペーパー保持用クリップ３００を示す。本考案によるペーパー保持用クリップ３００はベースプレート３０１を備えている。
切り込みを入れ上方に曲げられた一対の対抗する突出壁部３０３（図では一枚の突出壁部３０３のみが示されている）が、ベースプレート３０１上に形成されている。
本考案によるペーパー保持用クリップ３００は、さらに可動部３０５を備えている。可動部３０５の前端はわずかに下方に曲がり、押さえ部３０７を形成し、可動部３０５の後端は操作部３０９を構成している。下方に傾いた突出壁部３１１が可動部３０５の両側に形成されている。可動部３０５は回転自在にピンシャフト３１３によってベースプレート３０１上に設置されており、ピンシャフト３１３はベースプレート３０１の突出壁部３０３の孔と、可動部３０５の突出壁部３１１の孔とバネ３１５の通り孔とを貫通している。
ベースプレート３０１と可動部３０５の間に位置するバネ３１５の一方の自由端はベースプレート３０１の上面に接しており、もう一方の自由端は可動部３０５の下面に接している。
可動部３０５の操作部３０９には被覆部３１７が設けられている。被覆部３１７は、プラスチック、ゴム素材またはその他の適切な素材でできている。操作部３０９が緊密に挿入されるスロット３１９が被覆部３１７に形成されている。
【００１１】
図１７に示すように、本考案の第３実施例によるペーパー保持用クリップ３００は剛プレート３２１上に固定されている。
操作部３０９をつかんで、バネ３１５の力に対抗して可動部３０５を下方に押すことによって、押さえ部３０７と剛プレート３２１との間が開きペーパー３２３を加えたり除くことができる。
操作部３０９を離すとバネ３１５の作用により可動部３０５の押さえ部３０７が再び剛プレート３２１に対して緊密に押圧する。
【００１２】
図１８は、本考案の第３実施例の変形例を示し、図１９は、本考案の第３実施例の変形例によるペーパー保持用クリップの使用状態の概略図を示す。
本考案による第３実施例の変形例においては、１個または複数の突出リブ３２５が操作部３０９上に形成されている。突出リブ３２５が操作部上に形成されているので、操作部３０９に重ねられている被覆部３１７が容易に外れることはない。
操作部３０９に掛け孔３２７を形成してもよい。この場合には被覆部３１７の対応する位置にも孔が形成される。
さらに、押さえ部３０７に面するベースプレート３０１の縁部に少なくとも一つの直立突出壁部３２９を設けて容易にペーパーを揃えられるようにしてもよい。
【００１３】
図２０から図２５は、本考案の第４実施例によるペーパー保持用クリップ４００を示す。
本考案によるペーパー保持用クリップ４００はベースアセンブリ４０１とボディアセンブリ４０３とを備えている。ベースアセンブリ４０１は細長状のベースプレート４０５を有し、ベースプレートの両側部には屈曲したガイドエッジ４０７が形成されている。
開口部４０９がベースプレート４０５の両端部に形成されている。ベースアセンブリ４０１をファイルカバー等の上に固定するために、さらにその他の開口部がベースプレートに形成されてもよい。
細長状の操作部材４１１がベースプレート４０５の底部側で両側のガイドエッジ４０７の間に設置されている。操作部材４１１上でベースプレート４０５の開口部４０９にほぼ対応する位置に、開口部４１３がそれぞれ形成されている。細長状の開口部４１５もまた操作部材４１１の中央部に形成されている。
バネ４１７が細長状の開口部４１５に設置されており、バネの一端はベースプレート４０５に固定され、他端は操作部材４１１に固定されバネが張られた状態になっている。
さらにバネ４１７の作用により操作部材４１１にある開口部４１３のエッジ端は、常にベースプレート４０５にある開口部４０９のほぼ中央部にくるようになっている。
ベースプレート４０５から出ている操作部材４１１の端部は、上方に曲げられ操作部４１９を形成している。操作部４１９には被覆部４２１が設けられている。
被覆部４２１はプラスチック、ゴム素材またはその他の適切な素材でできている。操作部４１９は被覆部４２１で覆われている。
【００１４】
ボディアセンブリ４０３は、フックリング４２３ａ，４２５ａがそれぞれ付いた２枚の細長状の支持プレート４２３，４２５を備えている。２枚の細長状の支持プレート４２３，４２５は、両端に設置されたヒンジ手段４２７によって共に回転自在に連結している。
各ヒンジ手段４２７は、結合部材４２７ｃによって回転自在に連結された２つのアーム４２７ａ，４２７ｂを有している。２つのアーム４２７ａ，４２７ｂの他端は、それぞれ結合部材４２７ｄ，４２７ｅによって回転自在に細長状の支持プレート４２３，４２５に連結している。
２枚の細長状の支持プレート４２３，４２５のうちの１枚の支持プレート例えば細長状の支持プレート４２５の底部に、２本の取付け柱４２９が設けられている。２本の取付け柱４２９の間の距離は、ベースアセンブリ４０１のベースプレート４０５にある開口部４０９間の距離に対応している。各取付け柱４２９には凹み４２９ａが形成されていることが好ましい。
【００１５】
ベースアセンブリ４０１をファイルカバー等の上に設けられてもよい。
ボディアセンブリ４０３の支持プレート４２５の底部にある２つの取付け柱４２９をベースアセンブリ４０１のベースプレート４０５にある開口部４０９と操作部材４１１にある開口部４１３とに挿入し、バネ４１７の作用のもとで操作部材４１１にある開口部４１３のエッジ端を各取付け柱４２９の凹み４２９ａに動かすことによって、ボディアセンブリ４０３はベースアセンブリ４０１上に固定される。
また、操作部４１９をつかんで操作部材４１１をバネ４１７の力に対抗してベースプレート４０５の内部方向に押し、操作部材４１１の開口部４１３のエッジ端を各取付け柱４２９の凹み４２９ａから動かすことによって、ボディアセンブリ４０３をベースアセンブリ４０１から取り外すことができる。
【００１６】
ヒンジ手段４２７の２つのアーム４２７ａ，４２７ｂを支持プレート４２３，４２５とほぼ垂直になる位置まで結合部材４２７ｄ，４２７ｅの回りに回転させることにより、支持プレート４２３，４２５は個別に結合部材４２７ｃの回りに回転することができペーパーを加えたり取り除いたりできる開いた位置にすることができる。
逆の操作によって、支持プレート４２３，４２５は回転し、フックリングが対抗する支持プレートにそれぞれ近接する閉じた位置になる。さらに、ヒンジ手段４２７の２つのアーム４２７ａ，４２７ｂを図２０に示すように支持プレート４２３，４２５の間にくる位置まで結合部材４２７ｄ，４２７ｅの回りに回転させることにより、支持プレート４２３，４２５をロック位置で保持することができる。
【００１７】
図２６から図３０は、本考案の第５実施例によるペーパー保持用クリップ５００を示す。
本考案によるペーパー保持用クリップ５００は２枚の細長状の概略Ｌ字形支持プレート５０１，５０３を備え、支持プレート５０１，５０３は、それぞれフックリング５０１ａ，５０３ａを備えている。２枚の細長状の支持プレート５０１，５０３は、バネの付いた中央ヒンジ５０５によって共に回転自在に連結し、２枚の細長状の支持プレート５０１，５０３は、各フックリングがそれぞれ対抗する支持プレートに近接しペーパーを保持する閉じた位置になるまで、または、各フックリングがそれぞれ対抗する支持プレートから離れペーパーを加えたり取り除いたりする開いた位置になるまで互いに回転する。
本考案によるペーパー保持用クリップ５００は、さらに細長状の支持プレート５０１から伸びるロック用舌部５０７を備えている。少なくとも１つのロック用歯部５０９がロック用舌部５０７の側部に形成されている。本考案によるペーパー保持用クリップ５００は、さらに２つの細長状の開口部５１３が形成された細長状の操作部材５１１を備えている。
他方の細長状の支持プレート５０３から上方に伸びた２つのガイド突起５１５が、２つの細長状の開口部５１３にそれぞれ挿入され、バネ５１７が少なくとも１つの細長状の開口部５１３に設置されている。
バネ５１７の一端は細長状の開口部５１３の一端に接続し、バネの他端はガイド突起５１５に接続しており、押し込まれたバネ５１７は細長状の操作部材５１１を常に一方向に動かす。
細長状の支持プレート５０１上のロック用舌部５０７に対応した位置で細長状の操作部材５１１上に、突出したロック部５１９が形成されている。
操作部材５１１から外に伸びた操作部５２１に被覆部５２３が設けられている。被覆部５２３はプラスチック、ゴム素材またはその他の適切な素材でできている。操作部５２１は被覆部５２３で覆われている。
【００１８】
図３１に示すように、本考案の第５実施例によるペーパー保持用クリップ５００を例えばファイルカバー５２５に固定することができる。
図２８に示すようにロック用歯部５０９に係合するロック部５１９は、操作部５２１をつかんでバネ５１７の作用に対抗して操作部材５１１を操作部材５１１に記された矢印の方向に押すことによって、ロック用歯部５０９から外れ、２枚の細長状の支持プレート５０１，５０３は中央ヒンジ５０５の回りに分かれて開いた位置になるまで回転し、各フックリングが互いに離れ、ぺーパー５２７を加えたり取り除いたりできる。
そして、図３１に示すようにフックリングがそれぞれ対抗する支持プレートに近接する閉じた位置になるまで、支持プレート５０１，５０３が回転する。ここで、操作部材５１１がロック部５１９を動かしバネ５１７の作用によってロック部がロック用歯部５０９と係合するようにし、支持プレート５０１，５０３は閉じた位置でロックされる。
ペーパー保持用クリップ５００の収容力を調整するために、ロック用舌部５０７には複数のロック用歯部５０９が設けられていることが好ましい。
【００１９】
図３２から図３６は、本考案の第６実施例によるペーパー保持用クリップ６００を示す。
本考案によるペーパー保持用クリップ６００は、２以上の中空の柱６０１ａを有する細長状の支持プレート６０１と、中央ヒンジ６０５によって支持プレート６０１と回転自在に連結しているＬ字形の支持プレート６０３とを備えている。
Ｌ字形の支持プレート６０３の中央ヒンジ６０５に連結していない分岐部６０３ａに、２つの切り抜き部６０７が形成されている。
本考案によるペーパー保持用クリップ６００は、さらに細長状の操作部材６０９を備え、操作部材６０９には２以上の細長状のガイドチャネル６１１が形成されている。
操作部材６０９はまた分岐部６０３ａにある２つの切り抜き部６０７に対応する２つのＬ字形の切り抜き部６１３を備えている。
操作部材６０９は、細長状のガイドチャネル６１１を通る結合部材６１５によって、Ｌ字形の支持プレート６０３の分岐部６０３ａ上に移動自在に設けられ、２つのＬ字形切り抜き部６１３が、Ｌ字形切り抜き部６１３部分の操作部材長手方向に直角な部分が分岐部６０３ａにある２つの切り抜き部６０７に揃う位置まで動いたり、Ｌ字形切り抜き部６１３部分の操作部材長手方向の部分が分岐部６０３ａにある２つの切り抜き部６０７に揃う位置（図示されている）まで動いたりする。
操作部材６０９から外に伸びる操作部６０９ａには被覆部６０９ｂが設けられている。被覆部６０９ｂはプラスチック、ゴム素材またはその他の適切な素材でできている。操作部６０９ａは被覆部６０９ｂで覆われている。
本考案によるペーパー保持用クリップ６００は、さらに細長状のロックプレート６１７を備え、ロックプレート６１７には、細長状の支持プレート６０１上の中空の柱６０１ａに挿入される複数の差込み柱が設けられている。
分岐部６０３ａの２つの切り抜き部６０７に対応して、２つの突起６１９がロックプレート６１７の差込み柱の側とは反対側に形成されている。細長状の支持プレート６０１にある中空の柱６０１ａに差込み柱が挿入され、ロックプレート６１７は支持プレート６０１とともにＬ字形の支持プレート６０３の分岐部６０３ａの下の位置まで回転し、図に示すように、突起６１９がＬ字形切り抜き部６１３と分岐部６０３ａの２つの切り抜き部６０７内に配置される。
【００２０】
図３７に示すように、本考案の第６実施例によるペーパー保持用クリップ６００を例えばファイルカバー６２１に固定することができる。
操作部６０９ａをつかんで２つのＬ字形切り抜き部６１３を、２つのＬ字形切り抜き部６１３の部分で操作部材長手方向に直角な部分が分岐部６０３ａにある２つの切り抜き部６０７に揃う位置まで長手方向に沿って動かし、ロックプレート６１７が付いた細長状の支持プレート６０１とＬ字形支持プレート６０３とを中央ヒンジ６０５の回りに回転させ互いに分離することによって、ロックプレート６１７を細長状の支持プレート６０１から外すことができ、ペーパー６２３を加えたり取り除いたりできる。
そして、ロックプレート６１７を細長状の支持プレート６０１上に挿入した後、ロックプレート６１７が付いた細長状の支持プレート６０１とＬ字形支持プレート６０３とを中央ヒンジ６０５を軸として回転させることによって、ロックプレート６１７をＬ字形支持プレート６０３の分岐部６０３ａの下の位置まで回転させ、各突起６１９が、操作部材の長手方向に直角な２つのＬ字形切り抜き部６１３と２つの分岐部６０３ａの切り抜き部６０７の所に位置するようにする。
次に操作部６０９ａをつかんで操作部材６０９を長手方向に沿って動かし、２つのＬ字形切り抜き部６１３の操作部材長手方向にある部分を分岐部６０３ａの２つの切り抜き部６０７に揃うように移動させる（図３２〜図３６に示す）。Ｌ字形切り抜き部６１３の外縁が突起６１９の回転を止め、ペーパー保持用クリップ６００はロック状態に保たれる。
【００２１】
図３８から図４２は、本考案の第７実施例によるペーパー保持用クリップ７００を示す。
本考案によるペーパー保持用クリップ７００は、フックリング７０１ａ，７０３ａをそれぞれ備える２つの細長状の支持プレート７０１，７０３からなる。この２つの細長状の支持プレート７０１，７０３は両端部にあるヒンジ手段７０５によって回転自在に連結している。
各ヒンジ手段７０５は２つのＬ字形アーム７０５ａ，７０５ｂを備えている。２つのＬ字形アーム７０５ａ，７０５ｂはその一端でピンシャフト７０５ｃによって旋回自在に互いに連結しており、もう一方の端部でそれぞれ細長状の支持プレート７０１，７０３に連結している。ロック用舌部７０７が１つのヒンジ手段７０５のＬ字形アーム７０５ａから出ており、少なくとも１つの開口部７０７ａがロック用舌部７０７に形成されている。
もう一方のヒンジ手段７０５のＬ字形アーム７０５ｂには弾性部材からなる操作部材７０９が備えられている。ロック用舌部７０７の開口部７０７ａに対応して、弾性部材からなる操作部材７０９に突出部７０９ａが形成されており、突出部７０９ａはロック用舌部７０７の開口部７０７ａに係合している。
弾性部材からなる操作部材７０９から外部に伸びている操作部７１１には被覆部７１３が設けられている。被覆部７１３はプラスチック、ゴム素材またはその他の適切な素材でできている。操作部７１１は被覆部７１３で覆われている。
【００２２】
図４３に示すように、本考案の第７実施例によるペーパー保持用クリップ７００は例えばファイルカバー７１５に固定されている。
操作部材７１１をつかんで押すことによって、操作部材７０９の操作部７０９ａはロック用舌部７０７の開口部７０７ａから外され、２枚の細長状の支持プレート７０１，７０３は開いた状態の位置までヒンジ手段７０５の回りに分離して回転し、各フックリングは互いに離れペーパー７１７を加えたり取り除いたりする。
そして、支持プレート７０１，７０３が閉じた状態にまで回転して、フックリングはそれぞれ図に示すように対抗する支持プレートに近接する。ここで、弾性部材の操作部材７０９を押すのを止めて離すと、操作部材７０９の突起部７０９ａがロック用舌部７０７の開口部７０７ａに再び係合し、支持プレート７０１，７０３が閉じた状態でロックされる。
ペーパー保持用クリップ７００の収容力を調整するために、ロック用舌部７０７には複数の開口部７０７ａが形成されていることが好ましい。
【００２３】
以上、一例として挙げた図面を参照して本考案の好ましい実施形態を詳細に述べたが、種々の変更や改良が本考案の請求の範囲から逸脱することなくなされ得ると理解されるべきである。
例えば、操作部に被覆部が設けられていなくてもよいし、また、操作部それ自体がプラスチック、ゴム素材またはその他の適切な素材でできていてもよい。プラスチック、ゴム素材またはその他の適切な素材は識別のために色がついていてもよい。
さらに、これらの素材の外表面に操作部をつかみやすくするように様々な模様が付いていてもよい。
【図面の簡単な説明】
【００２４】
【図１】図１は、本考案の第１実施例によるペーパー保持用クリップの斜視図である。
【図２】図２は、本考案の第１実施例によるペーパー保持用クリップの被覆部がクリップ本体から離れた状態を示す斜視図である。
【図３】図３は、本考案の第１実施例によるペーパー保持用クリップの正面図である。
【図４】図４は、本考案の第１実施例によるペーパー保持用クリップの底面図である。
【図５】図５は、本考案の第１実施例によるペーパー保持用クリップの平面図である。
【図６】図６は、本考案の第１実施例によるペーパー保持用クリップの使用状態を示す概略図である。
【図７】図７は、本考案の第２実施例によるペーパー保持用クリップの斜視図である。
【図８】図８は、本考案の第２実施例によるペーパー保持用クリップの被覆部がクリップ本体から離れた状態を示す斜視図である。
【図９】図９は、本考案の第２実施例によるペーパー保持用クリップの正面図である。
【図１０】図１０は、本考案の第２実施例によるペーパー保持用クリップの平面図である。
【図１１】図１１は、本考案の第２実施例によるペーパー保持用クリップの左側面図である。
【図１２】図１２は、本考案の第２実施例によるペーパー保持用クリップの使用状態を示す概略図である。
【図１３】図１３は、本考案の第３実施例によるペーパー保持用クリップの斜視図である。
【図１４】図１４は、本考案の第３実施例によるペーパー保持用クリップの被覆部がクリップ本体から離れた状態を示す斜視図である。
【図１５】図１５は、本考案の第３実施例によるペーパー保持用クリップの正面図である。
【図１６】図１６は、本考案の第３実施例によるペーパー保持用クリップの左側面図である。
【図１７】図１７は、本考案の第３実施例によるペーパー保持用クリップの使用状態を示す概略図である。
【図１８】図１８は、本考案の第３実施例の変形例によるペーパー保持用クリップの被覆部がクリップ本体から離れた状態を示す斜視図である。
【図１９】図１９は、本考案の第３実施例の変形例によるペーパー保持用クリップの使用状態を示す概略図である。
【図２０】図２０は、本考案の第４実施例によるペーパー保持用クリップの斜視図である。
【図２１】図２１は、本考案の第４実施例によるペーパー保持用クリップの被覆部がクリップ本体から離れた状態を示す斜視図である。
【図２２】図２２は、本考案の第４実施例によるペーパー保持用クリップの正面図である。
【図２３】図２３は、本考案の第４実施例によるペーパー保持用クリップの左側面図である。
【図２４】図２４は、本考案の第４実施例によるペーパー保持用クリップの平面図である。
【図２５】図２５は、本考案の第４実施例によるペーパー保持用クリップの部品が互いに離れた状態を示す底面から見た斜視図である。
【図２６】図２６は、本考案の第５実施例によるペーパー保持用クリップの斜視図である。
【図２７】図２７は、本考案の第５実施例によるペーパー保持用クリップの被覆部がクリップ本体から離れた状態を示す斜視図である。
【図２８】図２８は、本考案の第５実施例によるペーパー保持用クリップの正面図である。
【図２９】図２９は、本考案の第５実施例によるペーパー保持用クリップの左側面図である。
【図３０】図３０は、本考案の第５実施例によるペーパー保持用クリップの平面図である。
【図３１】図３１は、本考案の第５実施例によるペーパー保持用クリップの使用状態を示す概略図である。
【図３２】図３２は、本考案の第６実施例によるペーパー保持用クリップの斜視図である。
【図３３】図３３は、本考案の第６実施例によるペーパー保持用クリップの被覆部がクリップ本体から離れた状態を示す斜視図である。
【図３４】図３４は、本考案の第６実施例によるペーパー保持用クリップの正面図である。
【図３５】図３５は、本考案の第６実施例によるペーパー保持用クリップの左側面図である。
【図３６】図３６は、本考案の第６実施例によるペーパー保持用クリップの平面図である。
【図３７】図３７は、本考案の第６実施例によるペーパー保持用クリップの使用状態を示す概略図である。
【図３８】図３８は、本考案の第７実施例によるペーパー保持用クリップの斜視図である。
【図３９】図３９は、本考案の第７実施例によるペーパー保持用クリップの被覆部がクリップ本体から離れた状態を示す斜視図である。
【図４０】図４０は、本考案の第７実施例によるペーパー保持用クリップの正面図である。
【図４１】図４１は、本考案の第７実施例によるペーパー保持用クリップの左側面図である。
【図４２】図４２は、本考案の第７実施例によるペーパー保持用クリップの平面図である。
【図４３】図４３は、本考案の第７実施例によるペーパー保持用クリップの使用状態を示す概略図である。
【符号の説明】
【００２５】
１００  ペーパー保持用クリップ、  １０１ａ，１０１ｂ  伸張部、  １０３  接続部、
１０５  操作部、  １０７  開口部、  １０９  被覆部、  １１１  金属リング、
１１３  ペーパー、  ２００  ペーパー保持用クリップ、  ２０１  ベースプレート、
２０３  突出壁部、  ２０５  押さえ部、  ２０７  接続部、  ２０９  バネ、
２１１  操作部、  ２１３  被覆部、  ２１５  突出部、  ２１７  剛プレート、
２１９  ペーパー、  ３００  ペーパー保持用クリップ、  ３０１  ベースプレート、
３０３  突出壁部、  ３０５  可動部、  ３０７  押さえ部、  ３０９  操作部、
３１１  突出壁部、  ３１３  ピンシャフト、  ３１５  バネ、  ３１７  被覆部、
３１９  スロット、  ３２１  剛プレート、  ３２３  ペーパー、  ３２５  突出リブ、
３２７  掛け孔、  ３２９  直立突出壁部、  ４００  ペーパー保持用クリップ、
４０１  ベースアセンブリ、  ４０３  ボディアセンブリ、  ４０５  ベースプレート、
４０７  ガイドエッジ、  ４０９  開口部、  ４１１  操作部材、  ４１３  開口部、
４１５  開口部、  ４１７  バネ、  ４１９  操作部、  ４２１  被覆部、  
４２３，４２５  支持プレート、  ４２３ａ，４２５ａ  フックリング、
４２７  ヒンジ手段、  ４２７ｃ  結合部材、  ４２７ａ，４２７ｂ  アーム、
４２７ｄ，４２７ｅ  結合部材、  ４２９  取付け柱、  ４２９ａ  凹み、
５００  ペーパー保持用クリップ、  ５０１，５０３  支持プレート、
５０１ａ，５０３ａ  フックリング、  ５０５  中央ヒンジ、  ５０７  ロック用舌部、
５０９  ロック用歯部、  ５１１  操作部材、  ５１３  開口部、  ５１５  ガイド突起、
５１７  バネ、  ５１９  ロック部、  ５２１  操作部、  ５２３  被覆部、
５２５  ファイルカバー、  ５２７  ぺーパー、  ６００  ペーパー保持用クリップ、
６０１  支持プレート、  ６０１ａ  中空の柱、  ６０３  支持プレート、
６０３ａ  分岐部、  ６０５  中央ヒンジ、  ６０７  切り抜き部、  ６０９  操作部材、
６０９ａ  操作部、  ６０９ｂ  被覆部、  ６１１  ガイドチャネル、
６１３  Ｌ字形切り抜き部、  ６１７  ロックプレート、  ６２１  ファイルカバー、
６２３  ペーパー、  ７００  ペーパー保持用クリップ、
７０１，７０３  支持プレート、  ７０１ａ，７０３ａ  フックリング、
７０５  ヒンジ手段、  ７０５ａ，７０５ｂ  Ｌ字形アーム、  ７０５ｃ  ピンシャフト、
７０７  ロック用舌部、  ７０７ａ  開口部、  ７０９  操作部材、  ７０９ａ  突出部、
７１１  操作部材、  ７１５  ファイルカバー、  ７１７  ペーパー
【図１】
0003140213.tif 000003
【図２】
0003140213.tif 000004
【図３】
0003140213.tif 000005
【図４】
0003140213.tif 000006
【図５】
0003140213.tif 000007
【図６】
0003140213.tif 000008
【図７】
0003140213.tif 000009
【図８】
0003140213.tif 000010
【図９】
0003140213.tif 000011
【図１０】
0003140213.tif 000012
【図１１】
0003140213.tif 000013
【図１２】
0003140213.tif 000014
【図１３】
0003140213.tif 000015
【図１４】
0003140213.tif 000016
【図１５】
0003140213.tif 000017
【図１６】
0003140213.tif 000018
【図１７】
0003140213.tif 000019
【図１８】
0003140213.tif 000020
【図１９】
0003140213.tif 000021
【図２０】
0003140213.tif 000022
【図２１】
0003140213.tif 000023
【図２２】
0003140213.tif 000024
【図２３】
0003140213.tif 000025
【図２４】
0003140213.tif 000026
【図２５】
0003140213.tif 000027
【図２６】
0003140213.tif 000028
【図２７】
0003140213.tif 000029
【図２８】
0003140213.tif 000030
【図２９】
0003140213.tif 000031
【図３０】
0003140213.tif 000032
【図３１】
0003140213.tif 000033
【図３２】
0003140213.tif 000034
【図３３】
0003140213.tif 000035
【図３４】
0003140213.tif 000036
【図３５】
0003140213.tif 000037
【図３６】
0003140213.tif 000038
【図３７】
0003140213.tif 000039
【図３８】
0003140213.tif 000040
【図３９】
0003140213.tif 000041
【図４０】
0003140213.tif 000042
【図４１】
0003140213.tif 000043
【図４２】
0003140213.tif 000044
【図４３】
0003140213.tif 000045